(57)【要約】【課題】塩ビ防水シートによる防水層の劣化の度合いを容易かつ正確に把握して、防水層の改修に要する時期を確実に見定め、計画的に改修工事の施工を可能にして、重大漏水事故などの発生を未然に防止する。【解決手段】下地に貼付して防水層を形成するための塩ビ防水シートであって、前記塩ビ防水シートは、ガラス繊維などの補強材の表裏両面に塩ビ層を具えてなり、前記表面塩ビ層には経年劣化視認手段を設けて、防水層の改修時期を明確に認知できるようにした塩ビ防水シートとこれを敷設してなる防水構造を提供して上記課題を解決する。【選択図】  図３
2010168762.tif 000002
【特許請求の範囲】
【請求項１】
下地に貼付して防水層を形成するための塩ビ防水シートであって、前記塩ビ防水シートは、ガラス繊維あるいはポリエステル繊維などの補強材の表裏両面に塩ビ層を具えてなり、前記表面塩ビ層には経年劣化視認手段を設けて、防水層の改修時期を明確に認知できるようにしたことを特徴とする塩ビ防水シート。
【請求項２】
請求項１記載の塩ビ防水シートにおいて、前記表面塩ビ層は内側塩ビ層とこの上面に積層される外側塩ビ層とからなり、前記経年劣化視認手段は前記内側塩ビ層と外側塩ビ層とで構成し、外側塩ビ層の劣化に伴う内側塩ビ層の露出により防水層の改修時期を明確に認知できるようにしたことを特徴とする塩ビ防水シート。
【請求項３】
請求項２記載の塩ビ防水シートにおいて、前記内側塩ビ層の表面にはシグナルマークを形成し、外側塩ビ層の劣化に伴うシグナルマークの露出により防水層の改修時期を明確に認知できるようにしたことを特徴とする塩ビ防水シート。
【請求項４】
請求項３記載の塩ビ防水シートにおいて、前記シグナルマークは、彩色層で構成したことを特徴とする塩ビ防水シート。
【発明の詳細な説明】
【技術分野】
【０００１】
本願発明は、建造物の屋上その他の屋根部における防水層を形成する塩ビ防水シートと防水構造に関し、詳しくは、経年劣化視認手段を有して防水層の改修時期を明確に認知できるようにした塩ビ防水シートと経年劣化視認手段を具えた防水構造に関するものである。
【背景技術】
【０００２】
建物の屋上等の防水層には、施工性、耐候性に優れる等多くの長所を有する観点から塩化ビニル樹脂による防水シートが多用されており、その構造は接着剤を用いて塩ビ防水シートが固定されている場合や下地上に緩衝シートを介して塩ビ防水シートを張設し、この塩ビ防水シートは適宜間隔で取り付け金具を介して下地にビス止めされている場合などがある。また、緩衝シートは下地における不陸部分を吸収するために用いられる。
【０００３】
耐候性に優れるといわれる上記の塩ビ防水シートによる防水層も、経年によるＰＶＣの劣化でシート表面に亀裂や含有する可塑剤の揮散と紫外線劣化による塩ビ防水シート（ＰＶＣシート）の劣化が進行して漏水等の防水事故を生じるようになる。  このような塩ビ防水シートの劣化は施工時から徐々に進行した後、ある時点で急速に進行するから、この時期を看過すると、ある日突然塩ビ防水シートが破断して重大な漏水事故に見舞われることになる。
【０００４】
このため、従来は、防水メーカーなどの専門家が現場で塩ビ防水シートを切り取り破壊検査をなして塩ビ防水シートの機械的物性を測定し、あるいは分析機材による非破壊検査等により塩ビ防水シートの劣化状況を見極めるようにしているが、作業が煩雑な上、劣化の度合いを容易かつ正確に把握することは困難であった。  このため、防水層の破断など重大な損傷が生じてから改修工事をなさざるを得ない場合がみられた。
なお、本願発明に関連して、以下の文献が存在する。
【特許文献１】特開平８−４２２５号号公報
【特許文献２】特開平１１−８１５７６号公報
【特許文献３】特開２００６−１１２０３１号公報
【発明の開示】
【発明が解決しようとする課題】
【０００５】
本願発明は、塩ビ防水シートによる防水層の劣化の度合いを容易かつ正確に把握して、防水層の改修に要する時期を確実に見定め、計画的に改修工事の施工を可能にして、重大漏水事故などの発生を未然に防止することを目的としている。
【課題を解決するための手段】
【０００６】
本願発明は、下地に貼付して防水層を形成するための塩ビ防水シートであって、前記塩防水ビシートは、ガラス繊維などの補強材の表裏両面に塩ビ層を具えてなり、前記表面塩ビ層には経年劣化視認手段を設けて、防水層の改修時期を明確に認知できるようにした塩ビ防水シートを提供して上記課題の解決を図ろうとするものである。
【０００７】
また、上記の塩ビ防水シートにおいて、前記表面塩ビ層は内側塩ビ層とこの上面に積層される外側塩ビ層とからなり、前記経年劣化視認手段は前記内側塩ビ層と外側塩ビ層とで構成し、外側塩ビ層の劣化に伴う内側塩ビ層の露出により防水層の改修時期を明確に認知できるように構成することがある。
【０００８】
さらに、段落０００７記載の塩ビ防水シートにおいて、前記内側塩ビ層の表面にはシグナルマークを形成し、外側塩ビ層の劣化に伴うシグナルマークの露出により防水層の改修時期を明確に認知できるようになすことがある。
【０００９】
またさらに、段落０００８記載の塩ビ防水シートにおいて、前記シグナルマークは、彩色層で構成することがある。
【００１０】
本願発明はまた、上記いずれか記載の塩ビ防水シートを建造物の陸屋根あるいは傾斜屋根下地に防水層として敷設貼付してなる防水構造を提供して上記課題を解決しようとするものである。
【００１１】
さらに、本願発明は、下地に防水層基盤としての塩ビシートを敷設してなる防水構造であって、防水層基盤としての前記塩ビシートの表面の一部には経年劣化視認手段を具え、防水層の改修時期を明確に認知できるようにした防水構造を提供する。
【００１２】
また、段落００１１記載の防水構造において、前記経年劣化視認手段は内側塩ビ層とこの上面に積層される外面塩ビ層とから構成して、外面塩ビ層の劣化に伴う内側塩ビ層の露出により防水層の改修時期を明確に認知できるように構成することがある。
【００１３】
さらにまた、段落００１２記載の防水構造において、前記内側塩ビ層の表面にはシグナルマークを形成し、外面塩ビ層の劣化に伴うシグナルマークの露出により防水層の改修時期を明確に認知できるように構成することがある。
【００１４】
そして、段落００１３記載の防水構造において、前記シグナルマークは、彩色層で構成することがある。
【発明の効果】
【００１５】
上記構成により、本願発明にあっては、塩ビ防水シートによる防水層の劣化の度合いを容易かつ正確に把握できるから、防水層の改修に要する時期を確実に見定め、事前の適切な改修により重大漏水事故の発生を防止できる。
【発明を実施するための最良の形態】
【００１６】
塩防水ビシートは、ガラス繊維などの補強材の表裏両面に塩化ビ層を具えて構成し、前記表面塩ビ層には経年劣化視認手段を設けるが、前記表面塩ビ層を内側塩ビ層とこの上面に積層される外側塩ビ層とから形成して、前記経年劣化視認手段は前記内側塩ビ層と外側塩ビ層とで構成し、前期外側塩ビ層の劣化に伴って発生する内側塩ビ層の露出をウォッチングすることにより防水層の改修時期を明確に認知できるようにする。
【００１７】
そして、前記内側塩ビ層の表面には目で確認可能なシグナルマークを形成し、外側塩ビ層の劣化に伴うシグナルマークの露出により防水層の改修時期を明確に認知できるようにするが、この視認用のシグナルマークは、内側塩ビ層の表面に線材を敷設したり、あるいは条線を刻設したり、あるいは樹脂膜材を張設したり、金属箔を貼付して構成してもよいが、表面に彩色を施して構成することが視認の容易さやコストが低廉であること等から好ましい。
【００１８】
そして、上記のような塩ビ防水シートを建造物の陸屋根あるいは傾斜屋根下地に防水層として敷設貼付して防水層を形成する。
【００１９】
また、上記の防水構造は、前記した塩ビ防水シートを下地に貼付して構成されるが、より簡易なものとして、下地上の防水層は従来の塩ビ防水シートで形成し、この防水層上に、使用した塩ビ防水シートの経年劣化視認手段を設ける。この経年劣化視認手段は内側塩ビ層とこの上面に積層される外面塩ビ層とから構成して、外面塩ビ層の劣化に伴う内側塩ビ層の露出により防水層の改修時期を明確に認知できるようする。そして、このような構成の経年劣化視認手段のサイズは、数センチメートル平方から数十センチメートル平方に形成し、これの設置箇所により具体的なサイズを選択する。  経年劣化視認手段は、必ずしも防水層上に設ける必要はないが、屋外で防水層と同一の環境下に暴露されることが肝要である。
【００２０】
そして、前記内側塩ビ層の表面にはシグナルマークを形成し、外面塩ビ層の劣化に伴うシグナルマークの露出により防水層の改修時期を明確に認知できるようにすることが必要であるが、この視認用のシグナルマークは、内側塩ビ層の表面に線材を敷設したり、あるいは条線を刻設したり、あるいは樹脂膜材を張設したり、金属箔を貼付して構成してもよいが、表面に彩色を施して構成することが視認の容易さやコストが低廉であること等から好ましい。この経年劣化視認手段にあっては、その塩ビで形成される外側塩ビ層の劣化の度合いにより、下地上に形成された防水層における塩ビ防水シートの劣化を推測するのであるから、前記外側塩ビ層の厚さ等は、時間の経過に伴う当該外側塩ビ層における劣化深度と下地上に形成された防水層における塩ビ防水シートの劣化深度が常にほぼ同一となるように設定する必要がある。  
【実施例】
【００２１】
図面に基づいて、本願発明の実施例を説明する。図1は、本願発明に係る塩ビ防水シートの1実施例を示す一部切欠断面図である。図において、1は塩ビ防水シートであり、この塩ビ防水シート１はガラス繊維などの補強基材２の表裏両面に塩化ビニルを含浸塗布させてなる表面塩ビ層３と裏面塩ビ層４とからなっている。
【００２２】
前記表面塩ビ層３には後述の経年劣化視認手段が設けられていて、塩ビ防水シート１がその劣化による磨耗のために改修すべき時期に来ていることを明確に認知できるようになっている。
【００２３】
図示のように、前記表面塩ビ層３は内側塩ビ層３ａとこの上面に積層される外側塩ビ層３ｂとからなり、これら内側塩ビ層３ａと外側塩ビ層３ｂとで前記経年劣化視認手段５が構成されている。        
すなわち、図２に示すように、外側塩ビ層３ｂの劣化磨耗に伴う内側塩ビ層３ａの露出により塩ビ防水シート１の改修時期を明確に視認できることになる。
【００２４】
しかしながら、内側塩ビ層３ａの露出は、時として判別しがたいことがあり、これを看過する恐れもある。そこで、図３に示す実施例では、塩ビ防水シート１において、前記内側塩ビ層３ａの表面にはシグナルマーク６を形成し、外側塩ビ層３ｂの劣化に伴うシグナルマーク６の露出により塩ビ防水シート１の改修時期を明確に認知できるようにしている。
【００２５】
この実施例では、図４に示すように、前記シグナルマーク６は、彩色層６ａで構成し，視認性の向上を図るようにしている。  この実施例では、シグナルマーク６を目立ちやすい赤色の彩色層で構成しているが、これに限らず、内側塩ビ層３ａの表面に線材を敷設したり、あるいは条線を刻設したり、あるいは樹脂膜材を張設したり、金属箔を貼付して構成してもよい。
【００２６】
図３に示す防水構造の実施例では、コンクリート下地Ｓ上に張設される塩ビ防水シート１の表面層３および裏面層４の厚さをそれぞれ０．５ｍｍとし、表面層３において、内側塩ビ層３ａを０．３ｍｍに、外側塩ビ層３ｂを０．２ｍｍに設定している。  図４に示すように、０．２ｍｍ厚の外側塩ビ層３ｂの劣化磨耗により、赤色彩色層６ａの露出が視認できた時点で、塩ビ防水シート１の改修時期が到来したことを確認できるが、表面層３の前記厚さ設定では、露出が確認できたときからほぼ１年以内に改修をなせば漏水などの重大事故の発生はない。  また、通常の気候条件下で、０．２ｍｍ厚の外側塩ビ層３ｂの劣化磨耗は８ないし１０年程度であると算定されるから、この時期が近くなるにしたがい防水層の監視を頻繁に行うようにする。
【００２７】
図５は、本願発明に係る防水構造の他の実施例を示す一部切欠断面図である。図において、１１はコンクリート下地Ｓ上に張設された従来の塩ビ防水シートであり、この塩ビ防水シート１１はガラス繊維などの補強基材２１の表裏両面に塩化ビニルをラミネートさせてなる表面塩ビ層３１と裏面塩ビ層４１とからなっている。塩ビ防水シート１１の表面の一部には経年劣化視認手段としてのセンサー５１が貼付されていて、塩ビ防水シート１１の経年による劣化磨耗状況をリアルタイムで表示し、これにより防水層の保守管理に携わる観察者は塩ビ防水シート１１の劣化磨耗状況を明確に認知し、改修時期の特定を容易に為し得るようになっている。
【００２８】
すなわち、経年劣化視認手段としての前記センサー５１は、内側塩ビ層５１ａとこの上面に積層される外面塩ビ層５１ｂとから構成されていて、外面塩ビ層５１ｂの劣化磨耗に伴う内側塩ビ層５１ａの露出を確認することにより、塩ビ防水シート１１の改修を相当期間内に行う必要のあることを知ることができる。
【００２９】
上記のように、経年劣化視認手段としてのセンサー５１にあっては、その塩ビで形成される外側塩ビ層５１ｂの劣化の度合いにより、下地Ｓ上に形成された防水層における塩ビ防水シート１１の劣化を推測するのであるから、前記外側塩ビ層５１ｂの厚さ等は、時間の経過に伴う当該外側塩ビ層５１ｂにおける劣化深度と下地Ｓ上に形成された防水層における塩ビ防水シート１１の劣化深度が常にほぼ同一となるように設定する必要がある。  このような見地から、該実施例では、下地Ｓ上の塩ビ防水シート１１において、表面層３１および裏面層４１の厚さがそれぞれ０．５ｍｍの場合、前記センサー５１は内側塩ビ層５１ａを０．３ｍｍ厚に、外側塩ビ層５１ｂを０．２ｍｍ厚に設定してあり、外側塩ビ層５１ｂが劣化磨耗した場合、塩ビ防水シート１１の表面層３１においても同様の劣化磨耗が発生している関係になっている。
【００３０】
図６は、前記センサー５１の他の実施例を示す一部切欠断面図である。この実施例では、前記内側塩ビ層５１ａの表面にはシグナルマーク５２を形成し、外側塩ビ層５１ｂの劣化磨耗に伴うシグナルマーク５２の露出により、防水層の改修時期をより明確に認知できるようにしてある。そして、この実施例では前記シグナルマーク５２は、彩色層で構成してあるが、内側塩ビ層３ａの表面に線材を敷設したり、あるいは条線を刻設したり、あるいは樹脂膜材を張設したり、金属箔を貼付して構成してもよい。
【００３１】
上述で説明した実施例では、センサー５１は下地Ｓ上の防水層上に設置してあるが、屋外で防水層と同一の環境下に暴露される条件を満たせば必ずしも防水層上に設ける必要はなく、観察に便利な箇所に設置可能であり、この場合、防水層の経年変化を遠隔的に観察できることになる。
【図面の簡単な説明】
【００３２】
【図１】本願発明に係る塩ビ防水シートの1実施例を示す一部切決断面図である。
【図２】図１において、塩ビ防水シートの表面層を構成する外側塩ビ層が劣化磨耗した状態を示す一部切決断面図である。
【図３】他の実施例に係る塩ビ防水シートにより防水層を構成した防水構造の実施例を示す一部切決断面図である。
【図４】図３に示す実施例で、表面層３ｂの外側塩ビ層が劣化磨耗した状態を示す一部切決断面図である。
【図５】本願発明に係る防水構造の他の実施例を示す一部切欠断面図である。
【図６】前記センサーの他の実施例を示す一部切欠断面図である。
【符号の説明】
【００３３】
１．．．．．塩ビ防水シート
２．．．．．補強基材
３．．．．．表面層
３ａ．．．．内側塩ビ層
３ｂ．．．．外側塩ビ層
４．．．．．裏面層
５．．．．．経年劣化視認手段
６．．．．．シグナルマーク
６ａ．．．．シグナルマークとしての彩色層
１１．．．．塩ビ防水シート（防水層）
２１．．．．補強基材
３１．．．．表面層
４１．．．．裏面層
５１．．．．経年劣化視認手段センサー
５１ａ．．．内側塩ビ層
５２ｂ．．．外側塩ビ層
Ｓ．．．．．コンクリート下地
【図１】
2010168762.tif 000003
【図２】
2010168762.tif 000004
【図３】
2010168762.tif 000005
【図４】
2010168762.tif 000006
【図５】
2010168762.tif 000007
【図６】
2010168762.tif 000008